(57)【要約】    【課題】  除霜時間を長くすることなく圧縮機の冷媒吸入圧力の低下を防ぐことにより圧縮機の信頼性を向上することができる空気調和機の除霜制御方法を提供すること。    【解決手段】  暖房運転時、室外熱交換器温度検知手段により検知された温度が第１の所定温度以下になると、四方弁を冷房回路に切り換えて能力可変型圧縮機を所定の周波数に変更するようにした。また、吸入圧力検知手段により検知された圧力が所定圧力より小さくなると、ガスバイパス弁を開制御するようにした。【選択図】  図２
2005037052.tif 000002
【特許請求の範囲】
【請求項１】
能力可変型圧縮機と四方弁と室外熱交換器とを有する室外機と、室内熱交換器を有する室内機とを冷媒配管により接続して構成される冷凍サイクルを有する空気調和機であって、
前記圧縮機の冷媒吐出管と冷媒吸入管とをバイパスするガスバイパス管と、該ガスバイパス管に取り付けられたガスバイパス弁と、前記圧縮機に吸入される冷媒の圧力を検知する吸入圧力検知手段と、前記室外熱交換器の温度を検知する室外熱交換器温度検知手段とをさらに備え、暖房運転時、前記室外熱交換器温度検知手段により検知された温度が第１の所定温度以下になると、前記四方弁を冷房回路に切り換えて前記能力可変型圧縮機を所定の周波数に変更し、前記吸入圧力検知手段により検知された圧力が所定圧力より小さくなると、前記ガスバイパス弁を開制御するようにしたことを特徴とする空気調和機。
【請求項２】
前記吸入圧力検知手段により検知された圧力が所定圧力以上になると、前記ガスバイパス弁を閉制御し、前記室外熱交換器温度検知手段により検知された温度が前記第１の所定温度より高い第２の所定温度以上になると、前記四方弁を暖房回路に切り換えるようにしたことを特徴とする請求項１に記載の空気調和機。
【発明の詳細な説明】
【技術分野】
【０００１】
本発明は空気調和機に関し、特に空気調和機に設けられた室外熱交換器の除霜制御に関する。
【背景技術】
【０００２】
従来の空気調和機の除霜制御方法は、除霜中に圧縮機吸入圧力が所定値以下に低下した場合、圧縮機の運転周波数を減少させ、吸入圧力低下を防止している（例えば、特許文献１参照。）。
【０００３】
【特許文献１】特開平５−７１８３２号公報（段落００４３、図５）
【発明の開示】
【発明が解決しようとする課題】
【０００４】
しかしながら、上記従来の構成において、圧縮機運転周波数を減少させることは圧縮機吸入圧力が低下した場合には有効な手段であるが、除霜能力が必要である場合には除霜能力を低下させ、除霜時間を長くしてしまうという課題を有していた。
【０００５】
本発明は、従来技術の有するこのような問題点に鑑みてなされたものであり、除霜時間を長くすることなく圧縮機の冷媒吸入圧力の低下を防ぐことにより圧縮機の信頼性を向上することができる空気調和機の除霜制御方法を提供することを目的としている。
【課題を解決するための手段】
【０００６】
上記目的を達成するために、本発明のうちで請求項１に記載の発明は、能力可変型圧縮機と四方弁と室外熱交換器とを有する室外機と、室内熱交換器を有する室内機とを冷媒配管により接続して構成される冷凍サイクルを有する空気調和機であって、前記圧縮機の冷媒吐出管と冷媒吸入管とをバイパスするガスバイパス管と、該ガスバイパス管に取り付けられたガスバイパス弁と、前記圧縮機に吸入される冷媒の圧力を検知する吸入圧力検知手段と、前記室外熱交換器の温度を検知する室外熱交換器温度検知手段とをさらに備え、暖房運転時、前記室外熱交換器温度検知手段により検知された温度が第１の所定温度以下になると、前記四方弁を冷房回路に切り換えて前記能力可変型圧縮機を所定の周波数に変更し、前記吸入圧力検知手段により検知された圧力が所定圧力より小さくなると、前記ガスバイパス弁を開制御するようにしたことを特徴とする。
【０００７】
また、請求項２に記載の発明は、前記吸入圧力検知手段により検知された圧力が所定圧力以上になると、前記ガスバイパス弁を閉制御し、前記室外熱交換器温度検知手段により検知された温度が前記第１の所定温度より高い第２の所定温度以上になると、前記四方弁を暖房回路に切り換えるようにしたことを特徴とする。
【発明の効果】
【０００８】
本発明によれば、暖房運転時、室外熱交換器温度検知手段により検知された温度が第１の所定温度以下になると、四方弁を冷房回路に切り換えて能力可変型圧縮機を所定の周波数に変更し、吸入圧力検知手段により検知された圧力が所定圧力より小さくなると、ガスバイパス弁を開制御するようにしたので、除霜時間を長くすることなく圧縮機の吸入圧力の極端な低下を防止することができ、圧縮機の信頼性を向上することができる。
【発明を実施するための最良の形態】
【０００９】
以下、本発明の実施の形態について、図面を参照しながら説明する。
図１は、本発明にかかる多室空気調和機を示しており、一つの室外機２に対し複数（図１では二つ）の室内機４ａ，４ｂが冷媒配管により接続されている。室外機２には、冷媒配管により順次接続された能力可変型圧縮機６と、四方弁８と、室外熱交換器１０と、室外膨張弁１２とが設けられる一方、各室内機４ａ，４ｂには、冷媒配管により順次接続された室内熱交換器１４ａ，１４ｂと室内膨張弁１６ａ，１６ｂとが設けられており、複数の室内機４ａ，４ｂは室外機２に対し並列に接続されている。
【００１０】
また、室外機２には、圧縮機６から吐出された冷媒ガスの一部が導入され冷媒ガスに含まれる圧縮機潤滑油を分離するためのオイルセパレータ１７と、圧縮機６の冷媒吐出管と冷媒吸入管とをバイパスするガスバイパス管１８と、ガスバイパス管１８に取り付けられたガスバイパス弁（電磁開閉弁）１９と、冷房あるいは除湿運転時、室外熱交換器１０で凝縮した液冷媒を貯留するバッファタンク２０が設けられている。
【００１１】
さらに、室外機２には、室外熱交換器１０に空気を送る室外ファン２１と、圧縮機６から吐出された冷媒の温度を検知する吐出温度検知手段２２と、圧縮機６に吸入される冷媒の温度及び圧力をそれぞれ検知する吸入温度検知手段２３及び吸入圧力検知手段２４と、室外熱交換器１０の温度を検知する室外熱交換器温度検知手段２６と、室外温度を検知する室外温度検知手段２８とが設けられている。一方、室内機４ａ，４ｂには、室内熱交換器１４ａ，１４ｂに空気を送る室内ファン３０ａ，３０ｂと、室内熱交換器１４ａ，１４ｂの温度（凝縮温度あるいは蒸発温度）を検知する室内熱交換器温度検知手段３２ａ，３２ｂと、室内の配管温度（蒸発器として機能するときの出口温度）を検知する室内配管温度検知手段３４ａ，３４ｂと、室内温度を検知する室内温度検知手段３６ａ，３６ｂとが設けられている。
【００１２】
上記構成の本発明にかかる多室空気調和機において、冷房運転及び除湿運転時には、冷媒が図１に示される矢印方向に流れるように四方弁８は切り換えられ、室内熱交換器温度検知手段３２ａ，３２ｂにより検知された室内熱交換器温度と室内配管温度検知手段３４ａ，３４ｂにより検知された室内熱交換器出口温度とに基いて室内熱交換器１４ａ，１４ｂの出口における冷媒過熱度が算出され、この冷媒過熱度が所定値となるように冷凍サイクルを制御することで高効率運転が行われる。
【００１３】
一方、暖房運転時においては、暖房回路を構成するように四方弁８は切り換えられ、圧縮機６から吐出された冷媒ガスは室内機４ａ，４ｂにまず導かれた後、室外機２に導かれ、再び圧縮機６に帰還する。
【００１４】
上記構成の多室空気調和機の暖房通常制御時における除霜制御方法について、図２のフローチャート及び図３のタイムチャートを参照しながら以下説明する。
【００１５】
まずステップＳ１において、室外熱交換器温度検知手段２６により検知された室外熱交換器１０の蒸発温度Ｔｃが所定温度（図３の突入温度）以下かどうかが判定される。室外熱交換器１０の蒸発温度Ｔｃが所定温度以下と判定されると（ステップＳ１の判定がＹＥＳ）、室外熱交換器１０に着霜したと判断してステップＳ２の除霜制御に移行する一方、室外側熱交換器１０の蒸発温度Ｔｃが所定温度より高いと判定されると（ステップＳ１の判定がＮＯ）、室外熱交換器１０には着霜がないと判断してステップＳ１の判定を繰り返す。
【００１６】
ステップＳ２の除霜制御においては、まず四方弁８を冷房回路に切り換えるとともに、圧縮機６を冷房回路における所定の周波数に変更し、次のステップＳ３において、吸入圧力検知手段２４により検知された圧縮機６の吸入圧力Ｐｓが所定圧力以上かどうかが判定される。圧縮機６の吸入圧力Ｐｓが所定圧力以上と判定されると（ステップＳ３の判定がＹＥＳ）、ステップＳ４に移行する一方、圧縮機６の吸入圧力Ｐｓが所定圧力より小さいと判定されると（ステップＳ３の判定がＮＯ）、ステップＳ５に移行して、ガスバイパス弁制御が行われる。
【００１７】
ステップＳ５のガスバイパス弁制御においては、ガスバイパス弁１９を開制御することにより圧縮機６から吐出されたガス冷媒の一部を圧縮機６に帰還させる。ガスバイパス弁制御は、吸入圧力検知手段２４により検知された圧縮機６の吸入圧力Ｐｓが所定圧力（図３の解除圧力）以上となるまで行われ、除霜時間を長くすることなく圧縮機６の吸入圧力の極端な低下を防止して圧縮機６の信頼性を向上している。
【００１８】
ステップＳ４においては、ステップＳ５において開制御されたガスバイパス弁１９が閉制御されるとともに、室外熱交換器温度検知手段２６により検知された室外熱交換器１０の蒸発温度Ｔｃが上記突入温度より高い所定温度（図３の解除温度）以上かどうかが判定される。室外熱交換器１０の蒸発温度Ｔｃが所定温度以上と判定されると（ステップＳ４の判定がＹＥＳ）、室外熱交換器１０に付いた霜が消滅したと判断してステップＳ６の暖房通常制御に移行する一方、室外側熱交換器１０の蒸発温度Ｔｃが所定温度より低いと判定されると（ステップＳ４の判定がＮＯ）、室外熱交換器１０に付いた霜はまだ残っていると判断してステップＳ４の判定を繰り返す。
【００１９】
ステップＳ６の暖房通常制御においては、四方弁８を再び暖房回路に切り換えるとともに圧縮機６を暖房回路における所定の周波数に変更して暖房運転を行う。
【００２０】
なお、上記実施の形態は多室空気調和機を例にとり説明したが、本発明は多室空気調和機に限定されるものではなく、一つの室外機に対し一つの室内機が接続された空気調和機にも採用可能である。
【産業上の利用可能性】
【００２１】
本発明にかかる空気調和機は、除霜時間を長くすることなく圧縮機の吸入圧力の極端な低下を防止することができるので、圧縮機の信頼性を向上することができ、室外熱交換器の除霜制御等として有用である。
【図面の簡単な説明】
【００２２】
【図１】本発明にかかる空気調和機の冷凍サイクル図である。
【図２】本発明にかかる空気調和機の除霜時におけるガスバイパス弁制御を示すフローチャートである。
【図３】本発明にかかる空気調和機の除霜時におけるガスバイパス弁制御を示すタイムチャートである。
【符号の説明】
【００２３】
２  室外機、  ４ａ，４ｂ  室内機、  ６  能力可変型圧縮機、
８  四方弁、  １０  室外熱交換器、  １２  室外膨張弁、
１４ａ，１４ｂ  室内熱交換器、  １６ａ，１６ｂ  室内膨張弁、
１７  オイルセパレータ、  １８  ガスバイパス管、
１９  ガスバイパス弁、  ２０  バッファタンク、  ２１  室外ファン、
２２  吐出温度検知手段、  ２３  吸入温度検知手段、
２４  吸入圧力検知手段、  ２６  室外熱交換器温度検知手段、
２８  室外温度検知手段、  ３０ａ，３０ｂ  室外温度検知手段、
３２ａ，３２ｂ  室内熱交換器温度検知手段、
３４ａ，３４ｂ  室内配管温度検知手段、
３６ａ，３６ｂ  室内温度検知手段。
【図１】
2005037052.tif 000003
【図２】
2005037052.tif 000004
【図３】
2005037052.tif 000005